(57)【要約】【課題】タッチパネルにて目的の機能を確実に実行することができるタッチパネル式の操作表示装置を提供する。【解決手段】各種情報を表示する表示部７の表面がタッチパネル６で構成され、該タッチパネル６の周囲がカバーで覆われているタッチパネル式の操作表示装置において、前記カバーの前記タッチパネル６に重なり合う部分の内側が不感領域３３として構成されている。【選択図】図６
2008003776.tif 000002
【特許請求の範囲】
【請求項１】
各種情報を表示する表示部の表面がタッチパネルで構成され、該タッチパネルの周囲がカバーで覆われているタッチパネル式の操作表示装置において、
前記カバーの前記タッチパネルに重なり合う部分の内側が不感領域として構成されていることを特徴とするタッチパネル式の操作表示装置。
【請求項２】
前記不感領域に押圧力が作用した場合に、警報を出す報知部を設けたことを特徴とする請求項１に記載のタッチパネル式の操作表示装置。
【請求項３】
所定時間が経過した場合に前記報知部による報知が行われることを特徴とする請求項２に記載のタッチパネル式の操作表示装置。
【発明の詳細な説明】
【技術分野】
【０００１】
本発明は、タッチパネル式の操作表示装置に関するものである。
【背景技術】
【０００２】
従来から、複写機等において各種操作が可能なタッチパネルを備えたタッチパネル式の操作表示装置がある。タッチパネルを指で押圧するなどして操作する際に、表示部に表示されているどの機能キーを押したかを判断する方法としては、タッチパネルのＸ方向・Ｙ方向にそれぞれ異なるバイアス電圧を印加し、タッチパネルの各電極を流れる電流を検出してタッチポイントのＸ，Ｙ座標を判別する方法が知られている（例えば、特許文献１参照）。
【特許文献１】特開２００２−２７８６９０号公報
【発明の開示】
【発明が解決しようとする課題】
【０００３】
ところで、上述の方法でタッチポイントの位置を検出することはできるが、使用者がタッチパネルを押圧する際に、目的の機能キーとは別の位置が既に押圧されていたり、又は同時に押圧されると、目的の機能キーを押圧したとは判断されずに、目的の機能を実行することができないおそれがある。
【０００４】
そこで、本発明は、上記事情を鑑みてなされたものであり、タッチパネルにて目的の機能を確実に実行することができるタッチパネル式の操作表示装置を提供することを目的とする。
【課題を解決するための手段】
【０００５】
上記の課題を解決するために、請求項１に記載した発明は、各種情報を表示する表示部の表面がタッチパネルで構成され、該タッチパネルの周囲がカバーで覆われているタッチパネル式の操作表示装置において、前記カバーの前記タッチパネルに重なり合う部分の内側が不感領域として構成されていることを特徴とする。
このように構成することで、不感領域が押圧されている場合に警報表示等を設定することができる。
【０００６】
請求項２に記載した発明は、前記不感領域に押圧力が作用した場合に、警報を出す報知部を設けたことを特徴とする。
このように構成することで、使用者に確実に不具合の内容を知らせることができる。
【０００７】
請求項３に記載した発明は、所定時間が経過した場合に前記報知部による報知が行われることを特徴とする。
このように構成することで、瞬間的に不感領域に触れた場合には警報が出されない。
【発明の効果】
【０００８】
請求項１に記載した発明によれば、不感領域が押圧されている場合に警報表示等を設定することができるため、目的の機能キーが実行できない原因をすぐに確認することができ、その原因を除去することで目的の機能を確実に実行することができる効果がある。
【０００９】
請求項２に記載した発明によれば、使用者に確実に不具合の内容を知らせることができるため、使用者が不具合の原因を容易に解決することができる効果がある。
【００１０】
請求項３に記載した発明によれば、瞬間的に不感領域に触れた場合には警報が出されないため、誤って警報を出すことがないという効果がある。
【発明を実施するための最良の形態】
【００１１】
次に、本発明の実施形態を図１〜図８に基づいて説明する。
本実施形態では、タッチパネル式の操作表示装置が複写機に搭載された場合について説明する。
図１及び図２に示すように、複写機１は、図示しない画像記憶部、画像処理部、印刷部及び制御部等を備えた複写機本体３が下部に形成されている。複写機本体３の上部手前側に複写機１の各種操作を実行するための操作部５と、タッチパネル６が表面に配置された表示部７とを備え、操作部５と表示部７の周囲はカバー１３で覆われている操作表示装置９が構成され、複写機本体３の上部で操作表示装置９以外の部分には、原稿画像を自動的に給紙するための自動原稿送り装置（ＡＤＦ）１１ａと、原稿画像を読み取るためのスキャナ部１１ｂとを備えた画像読取部１１が構成されている。
【００１２】
図３に示すように、操作表示装置９は、操作部５と表示部７とから構成されている。
操作部５は、使用者による各種の操作指示を受け付け、当該操作指示内容を制御部２７に出力する複数のボタン１９で構成されたものである。ボタン１９は、複写動作を起動するスタートキー１９ａ、コピー枚数等を設定するテンキー１９ｂ、初期設定画面を起動等する複数のファンクションキー１９ｃ等から構成されている。
【００１３】
表示部７には、透明電極で構成されているタッチパネル６が表面に配置されている。表示部７は、カラー又はモノクロ液晶ディスプレイ（ＬＣＤ）で構成されており、制御部２７から入力された表示指示に基づいて各種画像、文字、図形等で各種情報を表示するとともに、使用者が表示部７に表示された機能キー２９に触れることによってタッチパネル６が機能し、入力された操作指示を制御部２７に出力する。
操作部５及び表示部７の周囲を覆うようにカバー１３が設けられている。カバー１３は樹脂からなり、表示部７を視認可能な第１の開口部１５と、操作部５の各種ボタン１９の大きさに合わせた複数の第２の開口部１７とが形成されている。
【００１４】
次に、画像読取部１１は、自動原稿送り装置（ＡＤＦ）１１ａとスキャナ部１１ｂとを備えている。このような画像読取部１１は、制御部２７による制御の下に、自動原稿送り装置１１ａから供給された原稿がガラス面上に送られ、複写機本体３に内蔵されたスキャナ部１１ｂにて原稿の画像を順次読み取り、原稿画像の色彩を示すカラー画像データを画像記憶部２１に出力する。
【００１５】
画像記憶部２１は、ハードディスク等の外部記憶装置或いは／及び半導体メモリから構成されており、画像読取部１１から入力された原稿画像のカラー画像データを記憶する。この画像記憶部２１は、制御部２７による制御の下に、読み取られた原稿画像のカラー画像データの書き込みを行うと共に、当該カラー画像データを読み出して画像処理部２３に出力する。
【００１６】
画像処理部２３は、制御部２７による制御の下に、画像記憶部２１から入力されたカラー画像データを印刷用のデータに画像変換して印刷部２５に出力する。
【００１７】
印刷部２５は、制御部２７による制御の下に、印刷紙を搬送しつつ当該印刷紙にトナーを付着させることにより、上記カラー画像データに基づいて原稿画像を印刷紙上に出力する印刷手段である。
【００１８】
制御部２７は、操作部５或いは表示部７のタッチパネル６から入力される操作指示、内部メモリに記憶された制御プログラム及び各種制御用データ等に基づいて、複写機１の全体動作を制御するものである。即ち、制御部２７は、上記操作指示、制御プログラム及び各種制御用データ等に基づいて制御演算を行うＣＰＵ（Central Processing Unit）及び他の各部（つまり操作部５、表示部７、画像読取部１１、画像記憶部２１、画像処理部２３、及び印刷部２５）とのデータ授受を行う各種入出力インタフェース回線等から構成されており、上記他の各部を統括的に制御することによって、画像読取部１１が読み取った原稿画像を印刷部２５より印刷することが可能となる。
【００１９】
次に、図４に示すように、この表示部７の周縁部の数ｍｍ程度のある一定幅Ｗ１は、表示部７の表面に配置されたタッチパネル６に触れても、タッチパネル６として機能しない（反応しない）無機能領域３１として形成されている。無機能領域３１は、着色すること等により視認できるように構成されている。
また、無機能領域３１の更に内側のある一定幅Ｗ２は、その領域にある一定時間以上連続して触れていると、正常な動作をすることができない旨の警報を表示する不感領域３３として構成されている。
ここで、無機能領域３１は、着色されているために見栄えを考慮して、カバー１３により隠蔽されている。不感領域３３は、着色等されていないために、使用者が視認することはできないように構成されており、見栄えは従来のものと変わりない。
【００２０】
次に、操作表示装置９と制御部２７との間の構成について説明する。
図５に示すように、制御部２７には、所定のプログラムに基づいて表示部７の表示方法を制御する表示制御ＣＰＵ３５と、所定のプログラムが格納されるＲＯＭ３７と、各種データなどが一時的に保管されワーキングエリアとして機能するＲＡＭ３９が備えられている。
表示制御ＣＰＵ３５、ＲＯＭ３７、及びＲＡＭ３９から得られたデータや操作信号は、液晶表示画面を構成する表示部７への表示データを展開するＶＲＡＭ４１、及び入出力ポート５３と通信可能に構成されている。
【００２１】
また、ＶＲＡＭ４１には、表示データに基づいて表示部７を駆動する液晶ドライバ４３が通信可能に構成され、液晶ドライバ４３により操作表示装置９の表示部７に必要な画像が表示されるように構成されている。
更に、タッチパネル６は、使用者が押圧したタッチパネル６の位置を検出する位置検出部４５と通信可能に構成されている。また、スタートキー１９ａ、テンキー１９ｂ又はファンクションキー１９ｃ等の各種ボタン１９の背面に配置されたバックライトやＬＥＤ等で構成される個別表示素子４７に対して出力可能に構成されたドライバ回路４９と、スタートキー１９ａ、テンキー１９ｂ又はファンクションキー１９ｃ等の各種ボタン１９からの操作信号が入力されるバッファ回路５１とが構成されている。
【００２２】
入出力ポート５３は、位置検出部４５及びバッファ回路５１からの信号を入力可能に構成され、ドライバ回路４９へ信号を出力可能に構成されており、更に、表示制御ＣＰＵ３５と入出力可能に構成されている。
【００２３】
表示画面は、表示部７とタッチパネル６とを備えて構成される。タッチパネル６が押圧されると、位置検出部４５で検出された位置情報が入出力ポート５３を介して表示制御ＣＰＵ３５に入力され、表示制御ＣＰＵ３５によりＶＲＡＭ４１に展開されている表示データに基づいてどの機能キー２９が選択されたかが判断される。液晶ドライバ４３はＶＲＡＭ４１に展開された表示データに基づいて表示部７を駆動する。これらの動作により、表示画面に機能キー２９の入力があるとプログラムに基づいて表示画面の表示が更新制御されるように構成されている。
【００２４】
次に、作用について説明する。
複写機１は、電源がＯＮされており、スタンバイ状態である。この状態でコピーをするときは、コピーをする原稿を自動原稿送り装置１１ａにセットし、表示部７のタッチパネル６や操作部５のテンキー１９ｂなどで用紙サイズ、コピー枚数、濃度、倍率等を設定し、スタートボタン１９ａを押すことでコピーが開始される。
コピーが開始されると、原稿は自動原稿送り装置１１ａからスキャナ部１１ｂへと搬送され、スキャナ部１１ｂにおいて原稿が読み取られる。読み取られた原稿の画像データは複写機本体３の内部に設けられた画像記憶部２１から画像処理部２３へと送られた後、印刷部２５へデータが送られると、複写機本体３に内蔵されたトナーにより印刷紙へ印字され、印刷物として排出される。
【００２５】
上述の各種設定及び操作を行う際に、タッチパネル６に触れることで設定することがあるが、目的の機能キー２９に触れても、その通りに反応しない場合がある。これは、カバー１３の第１の開口部１５から視認可能な表示部７の周縁に何か異物が触れており、目的の機能キー２９をタッチした際に、その位置と異物が触れている位置との中間点を押したと判断するために、目的の機能を実行することが出来ない状況となっている。異物が触れている状況とは、例えば、ごみが蓄積された状況や、機能キー２９を押す手と反対の手が故意ではなく機能キー２９以外の箇所に触れていた状況や、カバー１３とタッチパネル６とがある規準値以上の力で接触しておりカバー１３によりタッチパネル６を押圧していると認識される場合等が考えられる。
【００２６】
図６〜図８に示すように、このような状況を回避するために、本実施形態ではタッチパネル６の周縁に不感領域３３を設けた。これにより、不感領域３３にある一定時間異物が触れていた場合は、その位置を位置検出部４５で検出し、入出力ポート５３を介して表示制御ＣＰＵ３５に入力し、ある一定時間以上不感領域３３に触れていると認識した場合には、その情報がＶＲＡＭ４１、液晶ドライバ４３に送られ、表示部７に警報などが表示される。具体的には、表示部７に「この領域はタッチ検知できません」、「この領域に触れないでください」、又は「この領域に異物混入の可能性があります」などの警報表示を表示部７にし、使用者に知らせることができる。
この警報表示により、例えばゴミが蓄積されていた場合にはゴミを除去する、また、使用者の手が誤って触れていた場合には手を離すことで、警報表示は消え、複写機１は通常動作を再開することができる。
また、この警報表示をする場合には、ある一定時間以上触れていた場合に表示することとし、設定時間を設定することができる。このようにすることで、瞬間的に手が触れてしまった場合など、操作上影響が少ない場合には当該警報表示は行わないようにすることができる。
【００２７】
上述とは別の状況として、スタンバイ状態でゴミの蓄積や、カバー１３が何らかの影響で不感領域３３に触れてしまい、不感領域３３をある一定時間触れた状態に陥った場合にも同じように警報表示を継続的して表示部７に行い、次の使用者がコピーをしようとする際に、正常動作が不能になっていることを知らせることができる。この場合も、ゴミを除去したり、カバー１３と表示部７との接触部を調整することで、警報表示は消え、複写機１は通常動作を再開することができる。
【００２８】
本実施形態では、不感領域３３は表示部７の全周に亘って形成されているが、例えば、操作表示装置９が操作性を向上させるために手前側に傾斜している場合には、ゴミなどは表示部７とカバー１３との接触部の下端部に集中することとなるため、不感領域３３を当該下端部のみに設定することでもよい。他にも、機能キー２９以外の領域全てを不感領域３３に設定することでもよい。
【００２９】
本実施形態では、タッチパネル６が表面に配置された表示部７を有するタッチパネル式の操作表示装置９において、表示部７の周縁の内側のある一定幅Ｗ２を不感領域３３と設定することで、当該不感領域３３にある一定時間以上異物が触れていた場合に、警報表示をすることとした。これにより、使用者がタッチパネルで目的の機能を実行する際に、目的通りに実行しない原因を容易に認識することが可能となり、その原因を除去することで通常動作を再開することが可能になる。
したがって、タッチパネル６にて目的の機能を確実に実行することができる。また、使用者が容易に原因を認識することができるため、メンテナンスサービスなどの担当者を無駄に呼んだりすることも無くなるため、無駄な費用支出を抑えることができるという効果もある。
【００３０】
尚、本発明は上述した実施の形態に限られるものではなく、例えば以下のような態様も採用可能である。
本実施形態では、タッチパネル式の操作表示装置を複写機に搭載された場合の説明をしたが、複写機に限らずＡＴＭ等のように同様の構成を有するタッチパネル式の操作表示装置に採用してもよい。
本実施形態では、警報表示を操作表示装置の表示部に画像表示する説明をしたが、ネットワークを介して管理者等のコンピュータに画像表示してもよいし、警報音を鳴らすようにしてもよい。
【図面の簡単な説明】
【００３１】
【図１】本発明の実施形態における複写機の斜視図である。
【図２】本発明の実施形態における複写機のブロック図である。
【図３】本発明の実施形態における操作表示装置の斜視図である。
【図４】本発明の実施形態における表示部の斜視図である。
【図５】本発明の実施形態における操作表示装置のブロック図である。
【図６】本発明の実施形態における表示部の平面図である。
【図７】本発明の実施形態における表示部の平面図である。
【図８】本発明の実施形態における表示部の平面図である。
【符号の説明】
【００３２】
６…タッチパネル  ７…表示部  ９…操作表示装置（タッチパネル式の操作表示装置）  １３…カバー  ３３…不感領域
【図１】
2008003776.tif 000003
【図２】
2008003776.tif 000004
【図３】
2008003776.tif 000005
【図４】
2008003776.tif 000006
【図５】
2008003776.tif 000007
【図６】
2008003776.tif 000008
【図７】
2008003776.tif 000009
【図８】
2008003776.tif 000010